(57)【要約】【課題】    本発明は，ゴルフクラブのグリップを安定的に把持できるゴルフクラブのグリップおよびこれを備えたゴルフクラブを提供すること。【解決手段】    シャフト６０１が挿入される，一端が封鎖された円筒形の構造を有するグリップにおいて，開口端から長手方向に所定の深度を有する位置に配置され，グリップの内周面３０５から円筒形の中心軸に向かって張出し，シャフト６０１が挿入されると張出した部位が外側へ圧力を受けてグリップの外周面６０３が突出する第１突出部３０１と，第１突出部３０１が位置する所定の深度よりも深部に配置され，グリップの中心軸方向に第１突出部３０１の張出した部位よりも高く張出し，かつ，第１突出部３０１の幅より広く形成され，シャフト６０１が挿入されると張出した部位が外側へ圧力を受けてグリップの外周部６０３が突出する第２突出部３０３と，を含むことを特徴とする，ゴルフクラブのグリップを提供する。【選択図】    図３
2006087940.tif 000002
【特許請求の範囲】
【請求項１】
シャフトが挿入可能な，一端が封鎖された円筒形の構造を有するグリップにおいて；
開口端から長手方向に向かって所定の深度を有する位置に前記グリップの内周面から前記円筒形の中心軸に向かって突出し，前記シャフトが挿入されると前記張出した部位が圧出されて前記グリップの外周面が突出する第１突出部と；
前記第１突出部が位置する前記所定の深度よりも深部に配置され，前記グリップの前記内周面から前記中心軸方向に前記第１突出部よりも高く突出し，かつ，前記第１突出部の幅より広く形成され，前記シャフトが挿入されると前記突出した部位が圧出されて前記グリップの外周部が突出する第２突出部と；
を含むことを特徴とする，ゴルフクラブのグリップ。
【請求項２】
前記第２突出部には，
前記内周面に形成され，かつ，異なる高さを有する，前記第１突出部と前記第２突出部とを連絡する境界部分を形成する，前記深奥方向に傾斜した第１傾斜部と，
前記内周面に形成された前記第２突出部の平坦な峰頂面を形成し，前記第１傾斜部から延びるシャフト接触部と，
前記深部側に位置する前記シャフト接触部の端部と前記グリップの内周面とを連絡する境界部分を形成する，前記開口部方向に傾斜した第２傾斜部とが備えられていることを特徴とする，請求項１に記載のゴルフクラブのグリップ。
【請求項３】
前記グリップの前記内周面から前記グリップの中心軸方向へ延びる第２突出部の裾野を構成する斜面により，左側傾斜部および右側傾斜部が形成されていることを特徴とする，請求項１に記載のゴルフクラブのグリップ。
【請求項４】
前記第２傾斜部が前記グリップの前記内周面と連接する部分は曲面からなっていることを特徴とする，請求項２に記載のゴルフクラブのグリップ。
【請求項５】
前記シャフト接触部は，前記第２突出部の前記峰頂面が内側に凹んで形成されていることを特徴とする，請求項２に記載のゴルフクラブのグリップ。
【請求項６】
前記左側傾斜部および前記右側傾斜部が前記グリップの前記内周面と連接する部分は曲面からなっていることを特徴とする，請求項３に記載のゴルフクラブのグリップ。
【請求項７】
前記第２突出部の内部には前記グリップと同一または異なる材質からなるコアが形成されていることを特徴とする，請求項１〜６のいずれかに記載のゴルフクラブのグリップ。
【請求項８】
前記第２突出部は，前記グリップの前記内周面に５０〜９５ｍｍの長さで形成されていることを特徴とする，請求項７に記載のゴルフクラブのグリップ。
【請求項９】
前記第２突出部は，前記グリップの前記内周面から３〜５ｍｍの厚さで突出していることを特徴とする，請求項７に記載のゴルフクラブのグリップ。
【請求項１０】
前記グリップの縦断面において，前記深奥方向へ傾斜した前記第１傾斜部を形成する線分と前記グリップの前記内周面を形成する線分とが３５度〜４３度の角度を成して形成されていることを特徴とする，請求項２，４，または５のいずれかに記載のゴルフクラブのグリップ。
【請求項１１】
前記グリップの縦断面において，前記開口部方向へ傾斜した前記第２傾斜部を形成する線分と前記グリップの前記内周面を形成する線分とが３５度〜４３度の角度を成して形成されていることを特徴とする，請求項２，４，または５のいずれかに記載のゴルフクラブのグリップ。
【請求項１２】
請求項１〜１１のいずれかに記載のゴルフクラブのグリップを装着することを特徴とする，ゴルフクラブ。
【請求項１３】
シャフトが挿入される，一端が封鎖された円筒形の構造を有するグリップにおいて；
開口端から長手方向に所定の深度を有する位置に前記グリップの内周面から前記円筒形の中心軸に向かって突出し，前記シャフトが挿入されると前記張出した部位が圧出されて前記グリップの外周面が突出する第１突出部と；
前記第１突出部が位置する前記所定の深度よりも深部に配置され，前記グリップの前記内周面から前記中心軸方向に前記第１突出部よりも高く突出し，かつ，前記第１突出部の幅より広く形成され，前記シャフトが挿入されると前記突出した部位が圧出されて前記グリップの外周部が突出する第２突出部と；
を有する前記グリップを含むことを特徴とする，ゴルフクラブ。
【請求項１４】
前記第２突出部には，
前記内周面に形成され，かつ，異なる高さを有する，前記第１突出部と前記第２突出部とを連絡する境界部分を形成する，前記深奥方向に傾斜した第１傾斜部と，
前記内周面に形成された前記第２突出部の平坦な峰頂面を形成し，前記第１傾斜部から延びるシャフト接触部と，
前記深部側に位置する前記シャフト接触部の端部と前記グリップの内周面とを連絡する境界部分を形成する，前記開口部方向に傾斜した第２傾斜部とが備えられていることを特徴とする，請求項１３に記載のゴルフクラブ。
【請求項１５】
前記グリップの前記内周面から前記グリップの中心軸方向へ延びる第２突出部の裾野を構成する斜面により，左側傾斜部および右側傾斜部が形成されていることを特徴とする，請求項１３に記載のゴルフクラブ。
【請求項１６】
前記第２突出部の内部には前記グリップと同一または異なる材質からなるコアが形成されていることを特徴とする，請求項１３〜１５のいずれかに記載のゴルフクラブ。
【発明の詳細な説明】
【技術分野】
【０００１】
本発明は，ゴルフクラブのグリップおよびゴルフクラブに関する。
【背景技術】
【０００２】
図１に示すように，一般的なゴルフクラブのグリップは断面が円形または楕円形をなしており，グリップの上部と下部の直径が殆ど同一であるか，若干のテーパ形となっていた。このような形状は，安定的な把持に優れているとは言えず，スイングの際，遠心力によって手が滑り易く，インパクトの際に掌上でグリップが回転してヘッドの角度が変わってしまう等，正確なショットを打つ上で問題があった。
【０００３】
従来，遠心力による手の滑りを防止するために，左手の小指部分に滑り防止溝を設けるという工夫がなされていたが，この方法によると，左手の小指部分に遠心力の相当部分が集中してしまい，掌全体で摩擦力を確保することができないため，スイング時に手がグリップから浮いてしまうという問題があった。
【０００４】
特許文献１によれば，グリップの上部の直径が上記グリップの下部より大きく形成され，かつ，上記グリップの上部の横断面が楕円形で形成されたことを特徴とするゴルフクラブのグリップに関する発明が公開されている。
【０００５】
ところが，特許文献１の発明によるゴルフクラブのグリップは，グリップの成形段階で外周面に突出部が形成されるように製作されるので，ボールを打つインパクトの際に当該突出部が若干の捩れる現象が生じるという問題があった。また，グリップの表面は，射出成形後，グリップの外周面に形成された滓を除去して表面を平滑化した後，把持した手を滑りにくくするため，グリップの表面を粗く加工するサンディング作業を必要とする。ところが，上記サンディング作業は手作業に頼らざるを得ないため，グリップの外周面に形成した突出部の高さを一定にし難いという問題があった。
【０００６】
従来は，こうした問題点に鑑み，図２ａおよび２ｂに示すように，グリップの長手方向に所定の長さを有する突出部２０１をグリップの内周面に形成する工夫がなされていた。このとき，シャフトが上記グリップの内側に挿入されて突出部２０１に圧力が加わると，グリップの外周面が外側に突出する。この突出部によりスイング時にクラブが手に密着し易くなる。
【０００７】
しかし，上記のような従来技術にかかるゴルフクラブのグリップは，グリップの内側に形成された突出部２０１が僅か１ｍｍ程度の突出しかなく，シャフトの結合後にも外周面の突出程度が小さいため，グリップを把持した手を十分に密着させる効果が得られないという問題点があった。
【０００８】
【特許文献１】大韓民国特許出願第１０−２００４−００７７４７６号
【発明の開示】
【発明が解決しようとする課題】
【０００９】
そこで，本発明は，上記問題に鑑みてなされたものであり，本発明の目的とするところは，ゴルフクラブのグリップを安定的に把持することが可能な，新規かつ改良されたゴルフクラブのグリップおよびこれを備えたゴルフクラブを提供することにある。
【００１０】
また，本発明の別に目的とするところは，スイングの際にゴルフクラブのグリップに形成された突出部に捩れ現象が生じず，また，製作の際に上記突出部の高さを規格化することが可能な新規かつ改良されたゴルフクラブのグリップおよびこれを備えたゴルフクラブを提供することにある。
【課題を解決するための手段】
【００１１】
上記課題を解決するために，本発明のある観点によれば，シャフトが挿入される，一端が封鎖された円筒形の構造を有するグリップにおいて；開口端から長手方向に所定の深度を有する位置に上記グリップの内周面から上記円筒形の中心軸に向かって突出し，上記シャフトが挿入されると上記張出した部位が圧出されて上記グリップの外周面が突出する第１突出部と；上記第１突出部が位置する上記所定の深度よりも深部に配置され，上記グリップの上記内周面から上記中心軸方向に上記第１突出部よりも高く突出し，かつ，上記第１突出部の幅より広く形成され，上記シャフトが挿入されると上記突出した部位が圧出されて上記グリップの外周部が突出する第２突出部と；を含むことを特徴とする，ゴルフクラブのグリップおよびこれを備えたゴルフクラブが提供される。
【００１２】
上記第２突出部には，上記内周面に形成され，かつ，異なる高さを有する，上記第１突出部と上記第２突出部とを連絡する境界部分を形成する，上記深奥方向に傾斜した第１傾斜部と，上記内周面に形成された上記第２突出部の平坦な峰頂面を形成し，上記第１傾斜部から延びるシャフト接触部と，上記深部側に位置する上記シャフト接触部の端部と上記グリップの内周面とを連絡する境界部分を形成する，上記開口部方向に傾斜した第２傾斜部とが備えられていてもよい。
【００１３】
かかる構成により，上記シャフトを挿入した場合に上記グリップの外周面に突出する第１突出部と第２突出部の境界部の段差（第１傾斜部に相応）は，スイングの際に中指が掛かる傾斜部（以下，中指係止部と呼ぶ）を形成しうる。
【００１４】
上記グリップの上記内周面から上記グリップの中心軸方向へ延びる第２突出部の裾野を構成する斜面により，左側傾斜部および右側傾斜部が形成されていてもよい。
【００１５】
上記第２傾斜部が上記グリップの上記内周面と連接する部分は曲面からなっていてもよい。
【００１６】
上記シャフト接触部は，上記第２突出部の上記峰頂面が内側に凹んで形成されていてもよい。
【００１７】
上記左側傾斜部および上記右側傾斜部が上記グリップの上記内周面と連接する部分は曲面からなっていてもよい。
【００１８】
上記第２突出部の内部には上記グリップと同一または異なる材質からなるコアが形成されていてもよい。
【００１９】
上記第２突出部は，上記グリップの上記内周面に５０〜９５ｍｍの長さで形成されていてもよい。
【００２０】
上記第２突出部は，上記グリップの上記内周面から３〜５ｍｍの厚さで突出していてもよい。
【００２１】
上記グリップの縦断面において，上記深奥方向へ傾斜した上記第１傾斜部を形成する線分と上記グリップの上記内周面を形成する線分とが３５度〜４３度の角度を成して形成されていてもよい。
【００２２】
上記グリップの縦断面において，上記開口部方向へ傾斜した上記第２傾斜部を形成する線分と上記グリップの上記内周面を形成する線分とが３５度〜４３度の角度を成して形成されていてもよい。
【発明の効果】
【００２３】
以上説明したように本発明によれば，ゴルフクラブのグリップを安定的に把持することができ，また，スイングの際にゴルフクラブのグリップに形成された突出部に捩れ現象が生じず，さらに，製作の際に上記突出部の高さを規格化することが可能となる効果がある。
【発明を実施するための最良の形態】
【００２４】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００２５】
図３は本発明の実施の形態にかかるゴルフクラブのグリップを示す縦断面図であり，図４は図３のＡ−Ａ’方向で切断した断面図であり，図５は図３のＢ−Ｂ’方向で切断した断面図である。
【００２６】
図３〜図５に示すように，本発明の実施形態にかかるゴルフクラブのグリップは，一端を閉塞した円筒状の構造を有し，開口部から各所定の深度を有する位置に以下の各部を備える。（１）グリップの内周面３０５上の一部が張出すように形成され，上記グリップの長手方向に所定の長さを有し，かつ，嶺が平坦に形成された第１突出部３０１。（２）上記グリップの深奥方向に位置する上記第１突出部３０１の端部から，上記第１突出部の嶺よりも高い位置へ上記深奥方向に傾斜面を形成する第１傾斜部３０７。（３）上記深奥方向に位置する，上記第１傾斜部３０７の端部から長手方向に延び，かつ，横断面が台形と半円形をそれぞれ下底と直線部において接合した形状を有する第２突出部３０３。なお，上記第２突出部３０３の幅は第１突出部３０１より広く形成される。（４）第２突出部３０３の嶺を形成するシャフト接触部３０６。（５）上記深奥方向に位置する，シャフト接触部３０６の端部から深奥方向に延びて，内周面３０５と連接するように斜面を形成する第２傾斜部３０９。（６）上記第２突出部３０３の横断面における上記台形の斜辺を形成する，左側傾斜部５０１および右側傾斜部５０３。なお，上記左側傾斜部５０１および上記右側傾斜部５０３はそれぞれ，図３のＢ−Ｂ’方向で切断したときに上記深奥方向に形成された横断面（図５）において，上記第２突出部が下側にある状況における左側および右側に位置する。
【００２７】
上記（１）において，第１突出部３０１が張出すように形成されると説明したが，より詳細には，第１突出部３０１が形成された横断面は略円形の一部を平坦に埋め立てたような構造となり，空洞部分の断面形状が蒲鉾型となるように形成されている。従って，グリップの内側にシャフトが挿入されると，シャフトが第１突出部３０１に圧力を加えることになり，それによってグリップの外周面が外側に突出することになる。
【００２８】
第２突出部３０３は，第１傾斜部３０７，シャフト接触部３０６，第２傾斜部３０９，左側傾斜部５０１および右側傾斜部５０３を含んで構成される。
【００２９】
第１傾斜部３０７は，シャフトがグリップと結合される際，挿入する上記シャフトの先端部が接触する部分であって，上記シャフトの先端部により第２突出部３０３が上記グリップの深奥方向に強く押上げられることにより，第２突出部３０３が破裂したり磨耗したりすることを防止する役割を担う。そのため，上記シャフトが高さの異なる上記第１突出部と上記第２突出部の境界部を形成する第１傾斜部３０７をスムーズに通過できるように，上記グリップの深奥方向に傾斜して形成されている。具体的には，第１傾斜部３０７は内周面３０５に対し，３５度〜４３度の角度を成すように形成されうる。可能であれば，３８度〜４１度の角度で形成されることが好ましい。
【００３０】
また，第１傾斜部３０７と内周面３０５とが接合する部分は，シャフトが挿入される際，上記シャフトの先端部が上記第１傾斜部３０７を上記深奥方向へ歪めることによりグリップの上記深奥方向に引っ張られる引張力を受けることになる。このような引張力により第１傾斜部３０７と内周面３０５とが接合する部分が破裂することを防止するために，第１傾斜部３０７と内周面３０５とが接合する部分には緩やかな曲面が形成されることが好ましい。
【００３１】
シャフト接触部３０６は，シャフトがグリップに挿入されて結合する際，第２突出部３０３とシャフトの外周面とが接触する部分であると共に，上記シャフトにより第２突出部３０３がグリップの外側に押し出されるように圧力を受ける部分である。したがって，上記シャフトが上記グリップに完全に結合された後は，グリップの内周面３０５に安定的に固定させるために，上記シャフトがシャフト接触部３０６に密着されることが好ましい。従って，シャフトの外周面と密着できるように，シャフト接触部３０６の表面は，第２突出部３０３の嶺に凹みが形成されることが好ましいが，これに限るものではない。
【００３２】
第２傾斜部３０９は，上記深奥方向に位置するシャフト接触部３０６の端部からグリップの内周面３０５へと延長した傾斜面を形成する部分である。この部分は，シャフトを挿入した際，シャフトにより第２突出部３０３がグリップの上記深奥方向に押し上げられて，第２突出部３０３と上記グリップの内周面３０５との接合地点が破裂することを防止する役割を担う。そのため，グリップの内周面３０５から開口部方向に向けて高くなるように斜めに形成される。
【００３３】
第２傾斜部３０９が存在しない場合は，シャフト接触部３０６が上記グリップの閉塞した端部の内面と直接接合することになり，シャフトが結合した後にグリップの外周面の上部に不均一な凹凸が発生することがある。しかし，本実施形態にかかる第２傾斜部３０９を設置することにより，このような問題の発生を防止することができる。
【００３４】
さらに，第２傾斜部３０９とグリップの内周面３０５とが接合する部分を曲面で処理する方がより好ましいが，これに限るものではない。
【００３５】
第２傾斜部３０９は内周面３０５と３５度〜４３度の角度を成すように形成されうる。可能であれば，第２傾斜部３０９と内周面３０５が３８度〜４１度の角度を形成することが好ましい。
【００３６】
左側傾斜部５０１および右側傾斜部５０３は，グリップの内周面３０５から上記グリップの中心軸方向に延びて第２突出部３０３の側面を構成する部分である。シャフトが結合する際に，第２突出部３０３がグリップの左側または右側に偏向されることを防止するために，左側傾斜部５０１および右側傾斜部５０３は上記中心軸方向に傾斜して形成される。
【００３７】
また，シャフトが結合する際，第２突出部３０３が上記深奥方向に歪むことにより，左側傾斜部５０１または右側傾斜部５０３と，グリップの内周面３０５とを接合する部分が破裂することを防止するために，その部分が曲面を形成することが好ましいが，これに限るものではない。
【００３８】
ところで，第２突出部３０３の内部にはグリップの他の部分と同一または異なる材質からなるコア（Ｃｏｒｅ）が形成されていてもよい。上記コアを形成することにより，シャフトの結合後，第２突出部３０３のシャフト接触部３０６がシャフトによりよく密着しうる。そして，上記コアはプラスチックや金属などの堅い材質からなる物体で形成されうる。
【００３９】
かかる構成により好適な突出部を形成することが可能となるが，第２突出部３０３がグリップの内側に過度に突出する場合には，第２突出部３０３を破損しないよう，シャフトを結合する際に相当の工夫が要求される。逆に，第２突出部３０３の突出が少ない場合には，シャフトがグリップに結合されても外周面があまり突出せず，当該突出部による十分な効果が発揮されない。上記のような問題は，第２突出部３０３の長さが過度に長い，または，短い場合においても同様であり，上記第２突出部には，適切な寸法の設定が求められる。
【００４０】
具体的には，第２突出部３０３はグリップの長手方向に５０〜９５ｍｍ程度（好ましくは，６０〜７５ｍｍ程度）の長さで形成されるようにし，内周面３０５からグリップの中心方向には３〜５ｍｍ程度（好ましくは，４．３〜４．７ｍｍ程度）突出するように形成されうる。
【００４１】
このような構成を有する本発明の実施形態にかかるゴルフクラブのグリップにシャフトが結合した場合について，図６および図７を参照して，より詳細に説明する。
【００４２】
図６および図７に各々示すように，本発明の実施形態にかかるゴルフクラブのグリップにシャフト６０１が結合すると，シャフト６０１が第１突出部および第２突出部をグリップの外側方向に圧出することにより，グリップの外周面６０３が外側に突出する。また，シャフトとグリップの内周面との間に発生する隙間は接着剤で埋められる。
【００４３】
グリップの外周面６０３が突出することによって，結果的にグリップの上部の直径がグリップの下部の直径より大きくなるので，左手でグリップの上部をより安定して把持することができ，右手は相対的に直径の小さいグリップの下部を把持するために右手に過度な力が掛からないようにすることができる。
【００４４】
さらに，外周面６０３が突出して形成される中指係止部６０５により，スイングの際，遠心力による左手の滑りを防止することができる。つまり，スイング時に発生する遠心力のうち相当量が上記中指係止部６０５に掛かる左手の薬指または中指によるグリップ力に作用するため，中指係止部６０５の形成により全体的に力が分散され，左手の滑りが効果的に防止されうる。
【００４５】
上記構成では，中指係止部６０５が左手の薬指または中指に掛かることを想定しているが，これに限定されるものではない。
【００４６】
中指係止部６０５は，グリップを握った時に左手の人差し指と中指との間に位置していてもよいが，中指と薬指との間，または薬指と小指との間に位置してもよい。また，中指係止部６０５の位置は，シャフト６０１が第２突出部をグリップ外側に圧出することにより形成されるので，第２突出部が形成される位置に左右される。
【００４７】
本実施形態にかかるグリップの外側に形成された第２突出部は，シャフト６０１がグリップの内面に形成された第２突出部を圧出して形成するため，外部に突出した嶺部を裾野方向へと牽曳する張力が作用して，スイングの際に当該突出部が捩れる等の現象を低減させることができる。
【００４８】
ところで，ゴルフクラブのグリップはゴムなどの弾性体を材料にして射出成形により製造されるため，上記グリップの外周面にゴム滓が形成される。特に，予め突出部をグリップの外周面側に形成する場合，突出部の表面にゴム滓が形成される。その場合，上記ゴム滓を除去するためのサンディング作業が要求されるが，上記サンディング作業は手作業でなされるので，作業者の力量や熟練度により突出部の突出程度が変わることになる。したがって，上記突出部分の形状の均一化が達成できないのである。
【００４９】
しかし，本実施形態によると，上記第１突出部および上記第２突出部をグリップの内周面に形成されるようにグリップを射出成形するため，シャフトを挿入前のグリップは断面が円形である所定の形状を有することになり，ゴム滓の除去のためのサンディング作業の際，品質や形状の均一化または標準化がし易くなる。
【００５０】
本実施形態と関連して，本明細書に記載された事項は，右利き用ゴルフクラブを基準にして記述したが，左利き用ゴルフクラブにも本発明の技術事象がその通り適用される。
【００５１】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００５２】
本発明は，ゴルフクラブのグリップおよびゴルフクラブに適用可能である。
【図面の簡単な説明】
【００５３】
【図１】一般的なゴルフクラブのグリップを示す斜視図である。
【図２ａ】従来技術にかかるゴルフクラブのグリップを示す縦断面図である。
【図２ｂ】従来技術にかかるゴルフクラブのグリップを示す横断面図である。
【図３】本発明の実施形態にかかるゴルフクラブのグリップを示す縦断面図である。
【図４】図３のＡ−Ａ’方向に切断した断面図である。
【図５】図３のＢ−Ｂ’方向に切断した断面図である。
【図６】本発明の実施形態にかかるゴルフクラブのグリップにシャフトが結合した後の形態を示す縦断面図である。
【図７】本発明の実施形態にかかるゴルフクラブのグリップにシャフトが結合した後の形態を示す横断面図である。
【符号の説明】
【００５４】
３０１      第１突出部
３０３      第２突出部
３０５      内周面
３０６      シャフト接触部
３０７      第１傾斜部
３０９      第２傾斜部
５０１      左側傾斜部
５０３      右側傾斜部
６０１      シャフト
６０３      外周面
６０５      中指係止部
【図１】
2006087940.tif 000003
【図２ａ】
2006087940.tif 000004
【図２ｂ】
2006087940.tif 000005
【図３】
2006087940.tif 000006
【図４】
2006087940.tif 000007
【図５】
2006087940.tif 000008
【図６】
2006087940.tif 000009
【図７】
2006087940.tif 000010